(57)【要約】【課題】小型化により隣接して配置される複数の操作部材の操作を組み合わせて多種形態のレンズ駆動制御の切り換えを容易に行い得る撮影機器を提供する。【解決手段】被写体の光学像を結像させる撮影光学系２６と被写体の光学像を受けて光電変換し画像信号を出力する撮像素子１３とからなる撮像部と、撮影光学系を介して得られる画像に対するズーム制御手段２４ａ，２６ａと、ズーム動作を実行させるためのズーム操作部材を含む隣接して設けられた複数の操作部材２３ａ，２３ｂと、複数の操作部材からの指示信号を受けてズーム制御を行う信号処理制御部１１とを具備し、信号処理制御部は複数の操作部材のうちの少なくとも二つの操作部材の同時操作指示を受ける場合と、複数の操作部材のうちの一つの操作部材の同時操作指示を受ける場合とでとズーム制御の形態を切り換える。【選択図】図１
2015025897.tif 000002
【特許請求の範囲】
【請求項１】
被写体の光学像を結像させる撮影光学系と、上記被写体の光学像を受けて光電変換し画像信号を出力する撮像素子と、からなる撮像部と、
上記撮影光学系を介して得られる画像に対するズーム制御手段と、
ズーム動作を実行させるためのズーム操作部材を含む隣接して設けられた複数の操作部材と、
上記複数の操作部材からの指示信号を受けてズーム制御を行う信号処理制御部と、
を具備し、
上記信号処理制御部は、上記複数の操作部材のうちの少なくとも二つの操作部材の略同時の操作指示を受ける場合と、上記複数の操作部材のうちの一つの操作部材の操作指示を受ける場合とで、ズーム制御の形態を切り換えることを特徴とする撮影機器。
【請求項２】
上記複数の操作部材は、上記撮影光学系を保持するレンズ鏡筒周りにおいて光軸に双方向に設けられた複数の環状部材であることを特徴とする請求項１に記載の撮影機器。
【請求項３】
上記信号処理制御部は、さらに、上記二つの操作部材のそれぞれの操作指示に応じた通常制御を禁止することを特徴とする請求項１に記載の撮影機器。
【請求項４】
上記二つの操作部材は、一方はズーム動作用の操作を行うズームリングであり、他方はフォーカス調整用の操作を行うフォーカスリングであることを特徴とする請求項１〜請求項３のいずれか一つに記載の撮影機器。
【請求項５】
上記信号処理制御部は、上記ズーム制御形態を切り換えた後、
上記複数の操作部材のうち上記ズームリングからの操作指示と上記フォーカスリングからの操作指示との二つの操作指示の組み合わせに応じて、ズーム速度の切り換え制御を行うことを特徴とする請求項４に記載の撮影機器。
【請求項６】
上記信号処理制御部は、上記フォーカスリングからの操作指示に含まれる回転量と回転方向に関する情報に応じて、ズーム速度の切り換え制御を行うことを特徴とする請求項５に記載の撮影機器。
【請求項７】
上記信号処理制御部によるズーム速度の切り換え制御は、加速制御若しくは減速制御であることを特徴とする請求項５又は請求項６に記載の撮影機器。
【請求項８】
撮影光学系により被写体の光学像を結像させ、
上記被写体の光学像を受けて撮像素子は光電変換を行なって画像信号を出力し、
ズーム制御手段によって上記撮影光学系を介して得られる画像のズーミングを行い、
信号処理制御部は、ズーム動作を実行させるためのズーム操作部材を含む隣接して設けられた複数の操作部材のうちの少なくとも二つの操作部材の略同時の操作指示を受ける場合と、上記複数の操作部材のうちの一つの操作部材の操作指示を受ける場合とで、ズーム制御の形態を切り換えることを特徴とする撮影機器の制御方法。
【発明の詳細な説明】
【技術分野】
【０００１】
この発明は、電動ズームレンズを備えた撮影機器及びその制御方法に関するものである。
【背景技術】
【０００２】
従来、被写体像を結像させるための撮影光学系を備えたレンズ鏡筒を有し、静止画像や動画像等を撮影するカメラ等の撮影機器が一般に実用化され広く普及している。この種の従来の撮影機器においては、携帯するのに至便なように小型化の要望が常にあると共に、様々な撮影状況に対応するために多機能化する傾向が近年顕著である。
【０００３】
例えば、この種の従来の撮影機器においては、撮影光学系を構成する複数の光学レンズのそれぞれを適宜目的に応じて駆動するために複数の駆動機構部を有しており、これら複数の駆動機構を駆動制御して、ズーム機能やフォーカス調節機能、絞り制御機能等を実現している。また、これら各種の機能をユーザーの要望に応じて自由に実行するために、撮影機器本体若しくはレンズ鏡筒の外装部等には、複数の操作部材が設けられている。
【０００４】
従来の撮影機器においては、ズーム操作やフォーカス調節操作を実行するための操作部材として、例えばレンズ鏡筒において撮影光学系の光軸周りに回動自在に設けた複数の円環状の操作部材や、レンズ鏡筒若しくはカメラボディの外装部等に設けた押圧式ボタンやレバー回動式若しくはスライド摺動式等の操作部材等が設けられている。そして、従来の撮影機器においては、使用者（ユーザー）が、これら各種の操作部材を適宜必要に応じて操作することによって、電動によるズーム制御やオートフォーカス制御を行なうことができるように構成されている。
【０００５】
これら複数の操作部材を用いて撮影を行なうのに際しては、例えば近接撮影等を行なう際の微細なフォーカス調節操作や、人物，風景撮影等を行なう際の厳密なフレーミング操作等は、電動による調整操作の際に、駆動制御を細かく設定することによって微調整を行ないたいという要望がある。
【０００６】
一方、近年においては、撮影機器の小型化に伴って、撮影機器に適用されるレンズ鏡筒自体も小型化される傾向にある。したがって、例えば撮影機器本体やレンズ鏡筒の外装面等に複数の操作部材を従来の形態と同様に配設した場合、それらの操作部材の操作性が損なわれてしまうことが考えられる。
【０００７】
例えば、従来の撮影機器におけるレンズ鏡筒においては、撮影光学系の光軸周りに回動する円環状操作部材を光軸方向に隣接させて複数設けた形態のものがある。このような構成の場合、各円環状操作部材同士の間隔が近接して配置されていると、一方のみを操作しようとした時に、誤って二つの操作部材を同時に操作してしまう等の誤操作の可能性が考えられる。
【０００８】
そこで、従来の撮影機器におけるレンズ鏡筒においては、例えば従来の円環状の回動式操作部材に代えて、これら従来のものとは異なる形態の操作部材について、例えば特開２０１０−１１７４４４号公報等によって種々の提案が行なわれている。
【０００９】
上記特開２０１０−１１７４４４号公報によって開示されている撮影機器におけるレンズ鏡筒は、レンズ鏡筒に設ける操作部材として、従来の形態の回動操作部材に代えてタッチパッドを配設するようにして設計の自由度を上げている。
【先行技術文献】
【特許文献】
【００１０】
【特許文献１】特開２０１０−１１７４４４号公報
【発明の概要】
【発明が解決しようとする課題】
【００１１】
ところが、上記特開２０１０−１１７４４４号公報に開示されている手段では、操作の簡単化，直感的な操作，微調整のし易さ等は考慮されていなかった。
【００１２】
一方、上述したように、小型化により複数の操作部材が隣接して配置される場合、隣接する複数の操作部材を同時に操作し得る構成となることを積極的に利用して、例えば二つの操作部材を同時に操作することによって、個々の操作部材を単独でそれぞれ操作した場合の制御とは異なる制御を行い得るようにすることも可能である。つまり、複数の操作部材の操作の組み合わせによって、多種類の制御形態を実現し得る可能性がある。また、実際に可動部材がある方が、タッチパッドより、しっかりとした操作感があるというメリットもある。
【００１３】
本発明は、上述した点に鑑みてなされたものであって、その目的とするところは、小型化により隣接して配置される複数の操作部材の操作を組み合わせることによって、個々の操作部材の単独操作時による制御と同様の構え方や操作方法によって従来とは異なる制御を行い得るようにし、よって多種形態の撮影制御の切り換えを容易に行うことのできる撮影機器及びその制御方法を提供することである。
【課題を解決するための手段】
【００１４】
上記目的を達成するために、本発明の一態様の撮影機器は、被写体の光学像を結像させる撮影光学系と上記被写体の光学像を受けて光電変換し画像信号を出力する撮像素子とからなる撮像部と、上記撮影光学系を介して得られる画像に対するズーム制御手段と、ズーム動作を実行させるためのズーム操作部材を含む隣接して設けられた複数の操作部材と、上記複数の操作部材からの指示信号を受けてズーム制御を行う信号処理制御部とを具備し、上記信号処理制御部は上記複数の操作部材のうちの少なくとも二つの操作部材の略同時の操作指示を受ける場合と上記複数の操作部材のうちの一つの操作部材の操作指示を受ける場合とでズーム制御の形態を切り換える。
【００１５】
本発明の一態様の撮影機器の制御方法は、撮影光学系により被写体の光学像を結像させ、  上記被写体の光学像を受けて撮像素子は光電変換を行なって画像信号を出力し、ズーム制御手段によって上記撮影光学系を介して得られる画像のズーミングを行い、信号処理制御部は、ズーム動作を実行させるためのズーム操作部材を含む隣接して設けられた複数の操作部材のうちの少なくとも二つの操作部材の略同時の操作指示を受ける場合と、上記複数の操作部材のうちの一つの操作部材の操作指示を受ける場合とで、ズーム制御の形態を切り換える。
【発明の効果】
【００１６】
本発明によれば、小型化により隣接して配置される複数の操作部材の操作を組み合わせることによって、個々の操作部材の単独操作時による制御とは別形態の従来とは異なる制御を行い得るようにし、よって多種形態のレンズ駆動制御の切り換えを容易に行うことのできる撮影機器及びその制御方法を提供することである。
【図面の簡単な説明】
【００１７】
【図１】本発明の一実施形態の撮影機器（カメラ）の内部主要構成の概略を示すブロック構成図
【図２】図１の撮影機器（カメラ）におけるカメラ制御の処理シーケンスを示すフローチャート
【図３Ａ】図２の処理シーケンスのうちのサブルーチン（ステップＳ１１７の処理）の前半部を示すフローチャート
【図３Ｂ】図２の処理シーケンスのうちのサブルーチン（ステップＳ１１７の処理）の後半部を示すフローチャート
【図４】図１の撮影機器（カメラ）における通常時のズーム制御においてズームリングが回動操作されてズーム光学系がワイド（Ｗｉｄｅ）側からテレ（Ｔｅｌｅ）側へと移動するときの焦点距離の変位量と時間との関係を示す図
【図５】図１の撮影機器（カメラ）における減速モード時のズーム制御においてズームリングが回動操作されてズーム光学系がワイド（Ｗｉｄｅ）側からテレ（Ｔｅｌｅ）側へと移動するときの焦点距離の変位量と時間との関係を示す図
【図６】図４の操作がなされたときのズーム速度と時間との関係を示す図
【図７】図５の減速モード時のズーム制御がなされる場合のズーム速度と時間との関係を示す図
【図８】図１の撮影機器（カメラ）におけるズーム制御において、フォーカスリングの回転量に基づいて制御するズーム速度の変化量の第１の算出処理形態を示す図
【図９】図８のズーム制御時のズーム加速度とフォーカスリングの時間当たりの回転量との関係を示す図
【図１０】図１の撮影機器（カメラ）におけるズーム制御において、第２の算出処理形態を示す図
【図１１】図１の撮影機器（カメラ）におけるズーム制御において、第３の算出処理形態を示す図
【発明を実施するための形態】
【００１８】
以下、図示の実施の形態によって本発明を説明する。以下の説明に用いる各図面においては、各構成要素を図面上で認識可能な程度の大きさとするため、各構成要素毎に縮尺を異ならせて示している場合がある。したがって、本発明は、これらの図面に記載された構成要素の数量，構成要素の形状，構成要素の大きさの比率及び各構成要素の相対的な位置関係は、図示の形態のみに限定されるものではない。
【００１９】
以下に説明する本発明の各実施形態は、例えば光学レンズ等からなる撮影光学系によって結像される光学像（被写体像）を固体撮像素子等を用いて光電変換し、この光電変換処理の結果により得られた画像信号を、静止画像や動画像を表わすデジタル画像データに変換し、その画像データを記録媒体に記録し、また記録媒体に記録されたデジタル画像データに基いて静止画像や動画像を表示装置を用いて表示し得るように構成される撮影機器（カメラ）に適用した場合の例示である。
【００２０】
まず、本発明の一実施形態の撮影機器（以下、単にカメラという）の概略的な構成について以下に説明する。図１は、本発明の一実施形態の撮影機器（カメラ）の内部主要構成の概略を示すブロック構成図である。
【００２１】
本実施形態のカメラ１は、図１に示すように、カメラボディ１０とレンズ鏡筒２０とによって構成されている。本カメラ１は、カメラボディ１０に対してレンズ鏡筒２０が着脱自在に構成されたいわゆるレンズ交換式カメラである。なお、本実施形態においては、撮影機器としてレンズ交換式カメラを例に挙げて説明するが、本発明を適用し得る撮影機器であるカメラとしては、この形態に限られることはなく、例えばカメラボディ１０とレンズ鏡筒２０とが一体に構成された形態のレンズ固定式のカメラであっても全く同様に適用することができる。
【００２２】
カメラボディ１０は、信号処理制御部１１と、ボディ側通信部１２と、撮像素子１３と、記録部１４と、操作部１５と、一時記録部１６と、表示部１８と、タッチパネル１８ｂと、時計部１９と、顔検出部３１等を有して構成されている。
【００２３】
信号処理制御部１１は、本カメラ１の全体の動作を統括的に制御する制御部としての機能を備え、各種構成ユニットを制御する制御信号を処理すると共に、撮像素子１３によって取得した画像信号（画像データ）についての画像信号処理等を行う信号処理部としての機能を備えた回路部である。
【００２４】
信号処理制御部１１の内部には、フォーカス処理部１１ａと、画像処理部１１ｂと、タッチ判定部１１ｃと、表示制御部１１ｄ等の各種の回路部が具備されている。
【００２５】
このうち、フォーカス処理部１１ａは、撮像素子１３から出力される画像信号を受けてコントラスト検出等を行なって、焦点調節処理，またはピント位置判定，遠近判定（測距）処理等の画像信号処理を行なう回路部である。
【００２６】
画像処理部１１ｂは、撮像素子１３によって取得された画像データに基いて各種の画像処理を施す処理回路部である。
【００２７】
タッチ判定部１１ｃは、タッチパネル１８ｂからの指示入力信号を受けて、その指示内容を判定する信号処理回路である。例えば、表示部１８の表示画像上のアイコン表示等が表示されている時に、使用者（ユーザー）が、表示中のアイコン表示等に対応するタッチパネル１８ｂ上の位置をタッチ操作，スライド操作等を行なうと、それらの操作を判定する。タッチ判定部１１ｃによる判定結果は、信号処理制御部１１へと伝達され、これを受けて信号処理制御部１１は表示中のアイコン表示等に応じた制御処理を実行する。
【００２８】
表示制御部１１ｄは、表示部１８を駆動制御する制御回路部である。表示制御部１１ｄは、撮像素子１３及びレンズ２６（後述する）等からなる撮像部によって生成され取得された画像データ（画像信号）を受けて、これを表示部１８の表示パネル上に画像として視認可能に表示させるための制御を行う。
【００２９】
ここで、上記撮像部は、撮影対象とする対象物（被写体）からの光を透過させて被写体の光学像を結像させる撮影光学系であるレンズ２６等（後述する）と、このレンズ２６によって結像された被写体像を受けて光電変換処理を行う撮像素子１３とを含んで構成されるユニットである。
【００３０】
撮像素子１３は、例えばＣＣＤ（Ｃｈａｒｇｅ  Ｃｏｕｐｌｅｄ  Ｄｅｖｉｃｅ；電荷結合素子）等の回路素子を用いたＣＣＤイメージセンサー若しくはＭＯＳ（Ｍｅｔａｌ  Ｏｘｉｄｅ  Ｓｅｍｉｃｏｎｄｕｃｔｏｒ；金属酸化膜半導体）等を用いたＭＯＳ型イメージセンサー等の固体撮像素子である光電変換素子等が適用される。撮像素子１３によって生成されたアナログ画像信号は、信号処理制御部１１のフォーカス処理部１１ａ，画像処理部１１ｂへと出力されて各種の画像信号処理が行なわれる。
【００３１】
記録部１４は、撮像素子１３から出力され上記画像処理部１１ｂにて処理済みの画像信号を受けて、これを所定の形態に変換する信号処理回路部と、この信号処理回路部によって生成された画像データを記録する記録媒体と、この記録媒体を駆動制御する制御部等を含んで構成される構成部である。ここで行われる画像信号の変換処理としては、例えば信号圧縮処理等を行って記録形態の画像データ変換する処理や、記録媒体に記録済みの画像データを読み込んで伸長処理等を施して画像信号を復元させる信号処理等である。なお、この種の圧縮伸長処理については、記録部１４に含まれる信号処理回路部で行なう形態に限られることはなく、例えば信号処理制御部１１内に同様の信号処理回路部を設け、それによって実行するような形態としてもよい。
【００３２】
一時記録部１６は、撮像素子１３によって取得された画像データ等を一時的に記録しておく回路部であって、例えばＥＥＰＲＯＭ（Electrically Erasable Programmable Read-Only Memory），ＲＡＭ（Random Access Memory）等の半導体メモリ素子等が適用される。
【００３３】
操作部１５は、カメラ１のカメラボディ１０の外装部分に設けられる通常の押しボタン式若しくはスライド式，ダイヤル式等の形態の各種の操作部材であって、例えばシャッターリリースボタン（特に図示せず）等、各種の一般的な操作部材を含めた操作用の構成部を指すものである。なお、操作部１５に含まれる操作部材として、例えばいわゆる四方向操作部材等もある。この四方向操作部材は、例えば表示部１８上に表示されるメニュー画面の項目選択を行なったり、表示画像上の位置を指示するような場合にも用いられる。四方向操作部材は、後述のタッチパネル１８ｂに代わる操作部材として機能する。四方向操作部材からの指示信号は信号処理制御部１１へと出力され、この信号処理制御部１１内の制御回路によって各種の制御が行われる。
【００３４】
また、本実施形態のカメラ１においては、上記操作部１５とは別の操作用の操作部材として、タッチパネル１８ｂを有している。このタッチパネル１８ｂは、表示部１８の表示面上に配置されており、使用者（ユーザー）が表示部１８に表示中の画像に対応する所定領域や各種アイコン表示に相当する領域等に対してタッチ操作やスライド操作等を行うことによって、各種の操作指示信号が発生するように構成された操作部材である。このタッチパネル１８ｂからの指示入力信号は、信号処理制御部１１のタッチ判定部１１ｃに送られて、その操作入力が判定される。
【００３５】
表示部１８は、信号処理制御部１１の表示制御部１１ｄによって制御される。即ち、表示部１８は、例えば撮像素子１３から出力され信号処理制御部１１の画像処理部１１ｂによって処理済みの画像データ等に基いてライブビュー画像を表示したり、記録部１４により伸長処理された画像データ等に基いて記録済み画像の再生表示を行ったり、記録部１４等に予め用意された各種アイコンデータ等に基くアイコンやメニュー画面等を表示する表示ユニットである。表示部１８は、例えば液晶ディスプレイ（ＬＣＤ；Liquid Crystal Display），プラズマディスプレイ（ＰＤＰ；Plasma Display），有機エレクトロルミネッセンスディスプレイ（ＯＥＬ；Organic Electro-Luminescence Display）等の表示パネルと、その駆動回路等を含んで構成される。
【００３６】
換言すると、表示部１８は、再生モード時には表示制御部１１ｄの制御下において、撮影記録済みの画像データに基く画像を再生表示する表示装置となる一方、撮影モード時には表示制御部１１ｄの制御下において、撮像素子１３から出力され画像処理部１１ｂを経て処理済み画像データに基いて順次連続的にリアルタイムの画像を表示し続けることによって、撮影範囲を観察，確認を行なう電子ビューファインダとしても機能する。なお、本実施形態においては、表示部１８の表示パネルをカメラボディ１０の背面側に設けた例を示しているが、表示部１８の構成例としては、このような形態に限られることはない。例えば、電子ビューファインダ（ＥＶＦ；Electric View Finder）として利用し得る小型の表示パネルで構成される表示部とする形態としてもよい。さらに、背面に設ける表示部と小型表示部とを設け、両者を切り換えて使用するような形態としてもよい。
【００３７】
時計部１９は、いわゆるリアルタイムクロック（Real-Time Clock；ＲＴＣ）と言われるコンピュータの内部時計である。時計部１９は、例えばデータファイル等の日時情報の付与を行ったり、制御処理中における計時や時間制御等の際に利用される。
【００３８】
顔検出部３１は、撮像素子１３から出力される画像データに基いて表示される画像の中に、人間の顔若しくは特定種類の動植物等（例えば犬，猫，鳥，花等）の被写体に対応する画像が存在するかどうかを検出するための被写体像検出回路部である。顔検出部３１としては、顔画像を検出するだけでなく、これに加えて、例えば色検出やパターン検出等を行なうものを含めてよい。なお、信号処理制御部１１は、顔検出部３１によって検出された被写体像が撮影画面内で移動しても、その像パターンを常に追尾し続け、かつフォーカスを合わせ続ける制御等を行う機能を有する。
【００３９】
ボディ側通信部１２は、後述するレンズ側通信部２２との間で電気的に接続することによって、カメラボディ１０とレンズ鏡筒２０との間で制御信号，情報信号等をやり取りするカメラボディ１０側の通信用信号処理回路部である。
【００４０】
次に、レンズ鏡筒２０は、レンズ制御部２１と、レンズ側通信部２２と、レンズ側操作部２３と、ズーム駆動部２４ａと、フォーカス駆動部２４ｂと、絞り駆動部２４ｃと、ズームレンズ位置検出部２５ａと、フォーカスレンズ位置検出部２５ｂと、第１回動検出部２７ａと、第２回動検出部２７ｂと、撮影光学系であるレンズ２６等によって主に構成されている。
【００４１】
レンズ制御部２１は、上記カメラボディ１０側の信号処理制御部１１の制御下においてレンズ鏡筒２０側の各構成ユニットの動作を制御する制御部である。なお、このレンズ制御部２１を省略して構成することもできる。その場合には、レンズ鏡筒２０側の制御は、カメラボディ１０側の信号処理制御部１１が担うようにすればよい。また、本発明の特徴たる操作部材の切り換えもカメラボディ１０側の信号処理制御部１１で制御してもよく、レンズ制御部２１で制御してもよく、連携して行ってもよい。
【００４２】
レンズ側通信部２２は、上記ボディ側通信部１２との間で電気的に接続することによって、レンズ鏡筒２０とカメラボディ１０との間で制御信号，情報信号等をやり取りするレンズ鏡筒２０側の通信用信号処理回路部である。
【００４３】
レンズ側操作部２３は、レンズ鏡筒２０側に設けられる各種の操作部材であり、具体的には例えば、手動によるフォーカス調節操作を行なうフォーカスリング２３ａ（第１操作部材，第１操作リング）と、手動によるズーム操作を行なってズーム動作を実行させるためのズーム動作用のズーム操作部材であるズームリング２３ｂ（第２操作部材，第２操作リング）等である。これら二つの操作リング２３ａ，２３ｂは、例えば円環状（リング状）に形成され、レンズ鏡筒２０の外周側に外周面を露呈するように配設され、かつ当該レンズ鏡筒２０の撮影光学系であるレンズ２６の光軸周りに回動し得るように設けられた円環状操作部材である。そして、これら二つの操作リング２３ａ，２３ｂは光軸方向に並設され、互いに近接する位置に設けられている。これらのレンズ操作部材は、左手の親指と人差し指で挟んで回す形となるが、親指で一方のリングを回しながら、人差し指でもう一方のリングを回すような操作を行えば、略同時操作が可能となる。また、所定量の回動なら一本の指の可動範囲で連続的な操作が可能である。
【００４４】
上述したように、本実施形態のカメラ１におけるレンズ鏡筒２０においては、二つの操作リング２３ａ，２３ｂのうち、一方をフォーカスリング２３ａとし、他方をズームリング２３ｂとしている。ここで、フォーカスリング２３ａは、レンズ２６の光軸周りに正逆方向に無限に回転し得るように構成されている。これに対し、ズームリング２３ｂは、レンズ２６の光軸周りに正逆方向に所定の範囲のみに回動し得るようになっている。そして、ズームリング２３ｂは、一方向へ所定の範囲内で回動させると、例えば長焦点側へのズーミングが実行され、また、他方向へ所定の範囲内で回動させると、例えば短焦点側へのズーミングが実行されるように構成されている。つまり、ズームリング２３ｂは、回動操作することによってズーム動作のオンオフを行うズームスイッチとして機能し、回動方向に応じて所望のズーム操作を行い得るように構成されている。なお、ズーム制御，ズーム操作とは、撮影光学系によって結像される被写体像の拡大若しくは縮小、即ち被写体像の変倍を行うための制御，操作をいう。このようなリング（段差があっても良い）は親指一本で押したり引いたりして所定量回転が可能となる。
【００４５】
この場合において、ズームリング２３ｂの一方向若しくは他方向への所定の範囲内において、例えば所定範囲内の中間点まで回動させると一段階目のスイッチがオン状態になり、さらに所定範囲内（即ち許容回動範囲内）の端部まで回動させると二段階目のスイッチがオン状態になる、といった構成としてもよい。例えば左手の親指と人差し指といった挟み込む形でリングを掴む動作の延長で（同様の構え方や操作で）、一方の指で一方のリング、もう一方のリングで他方のリングを回すことができる。このような操作が可能な、この二つのリングの光軸に沿っての距離は、一方の指を軽くシフトして操作ができる２ｃｍ以下の方が好ましい。これ以上になると、指の位置の持ち替えなどで手ブレなどの誤動作が発生するし、同時操作が困難になる。このような構成とすることにより、段階スイッチをズーミング速度の切換制御に利用するといったことが可能になる。また、その場合の切換段数は任意に設定できるので、二段階に限られることはなく、三段階以上の多段スイッチとして構成してもよい。
【００４６】
さらに、ズームリング２３ｂは、上述の構成に限られることはなく、フォーカスリング２３ａと同様に、レンズ２６の光軸周りに正逆方向に無限に回転し得るように構成してもよい。
【００４７】
このように構成される本実施形態のカメラ１におけるズーム制御は、ズームリング２３ｂの回動操作によってズームスイッチがオン状態とされて開始する。このときのズーミング速度は、ズームリング２３ｂの回動量に応じて制御される。
【００４８】
また、ズームリング２３ｂは、基準となる所定の位置（中立位置）が常に維持されるように構成されている。したがって、使用者は、ズーミング操作を行う際には、表示部１８のファインダ画面等を観察しながらズームリング２３ｂの回動操作を行う。このズームリング２３ｂの回動操作によって所望のフレーミングが得られた時点で、例えばズームリング２３ｂから手を離すと、ズームリング２３ｂは、元の中立位置に戻り、よってズーム動作がオフ状態となる。このようなズーム制御は、従来一般的な形態のカメラによるものと同様の電動ズーム制御である。このような従来の電動ズーム制御では、ズーム微調整を行うには不向きであり、本実施形態においては粗調整操作を行う際に利用される。
【００４９】
そこで、本実施形態のカメラ１では、さらに、設定可能なズーム範囲（短焦点側のズーム端から長焦点側のズーム端までの範囲）内でのズーム制御をより詳細に行い得るようにして、厳密なフレーミング設定を実行し得るズーム制御上の工夫がなされている。そのために、本実施形態においては、ズームリング２３ｂの回動操作に加えて、他の操作部材等、例えばフォーカスリング２３ａを同時に操作することによって、上記二つの操作リング（２３ａ，２３ｂ）のそれぞれの回転方向や回転量に応じた制御を行なって、ズーム速度やズーム加速度等を制御してズーム設定の微調整を行い得る動作モード（減速モード）を備えている。この場合において、減速モードは、ズームリング２３ｂを用いた通常のズーミング操作と、このズーミング操作に加えてフォーカスリング２３ａを同時に操作することによって所望のズーム制御を行うというものである。即ち、この減速モードに設定されてズーム制御が実行されている状態では、フォーカスリング２３ａは、本来のフォーカシング操作のための操作部材とは異なる機能、即ちズーム駆動制御を補助するための操作部材として機能するように制御される。なお、ズーム制御のうちの上記減速モード時の作用の詳細は後述する。
【００５０】
なお、上記二つの操作リング２３ａ，２３ｂ以外のレンズ側操作部２３としては、例えば通常撮影と近接撮影等の撮影モード切換用の操作部材等、その他の操作部材が設けられていてもよい。これらその他の操作部材については、本発明に直接関連しない部分であるので、その図示及び詳細説明は省略する。
【００５１】
第１回動検出部２７ａは、上記フォーカスリング２３ａ（第１操作リング）の回転量、即ち操作リングの回転の機械的変位量を電気信号に変換し、この信号を処理して回転方向や回転量等を検出するセンサ等を含む回路部である。また、第２回動検出部２７ｂは、上記ズームリング２３ｂ（第２操作リング）の回転やスイッチオンオフ等の動作状況を検出する回路部である。第１回動検出部２７ａ，第２回動検出部２７ｂとしては、例えばロータリエンコーダ等が適用される。
【００５２】
ズーム駆動部２４ａは、レンズ制御部２１の制御下においてレンズ２６内のズーム駆動機構部２６ａ（後述する）のズーム駆動制御を行なう制御回路部でありズーム制御手段である。フォーカス駆動部２４ｂは、同様にレンズ制御部２１の制御下においてレンズ２６内のフォーカス駆動機構部２６ｂ（後述する）の駆動制御を行なう制御回路部でありフォーカス駆動手段である。なお、フォーカシング方法については、必ずしもレンズを動かさず、撮像素子を動かす場合もある。絞り駆動部２４ｃは、同様にレンズ制御部２１の制御下においてレンズ２６内の絞り駆動機構部２６ｃ（後述する）の駆動制御を行なう制御回路部である。
【００５３】
ズームレンズ位置検出部２５ａは、ズーム光学系の光軸上の位置を検出する位置検出回路である。また、フォーカスレンズ位置検出部２５ｂは、フォーカス光学系の光軸上の位置を検出する位置検出回路である。なお、上記二つの位置検出部（２５ａ，２５ｂ）は、例えば初期位置判定用のスイッチやフォトカプラ等を含んで構成される。
【００５４】
レンズ２６は、上述したように撮影対象となる対象物（被写体）からの光を透過させて被写体の光学像を結像させるための複数の光学レンズ等からなる撮影光学系と、この撮影光学系の個々の光学レンズをそれぞれ保持する複数の鏡筒部材と、これら複数の鏡筒部材をそれぞれ個別に光軸方向に進退させる駆動用鏡筒等のほか、ズーム駆動機構部２６ａと、フォーカス駆動機構部２６ｂと、絞り駆動機構部２６ｃ等を具備して構成される。なお、撮影光学系は複数の光学レンズからなり、例えば変倍動作（ズーミング）に寄与するズーム光学系，焦点調節動作（フォーカシング）に寄与するフォーカス光学系，レンズ収差補正用の光学系等によって構成される。
【００５５】
ズーム駆動機構部２６ａは、撮影光学系のうちズーム動作に関与するズーム光学系を駆動するための駆動源（アクチュエータ）やその駆動力を伝達する駆動機構等を含む駆動ユニットである。なお、上記ズーム駆動部２４ａ及びズーム駆動機構部２６ａによってズーム駆動手段が構成されている。
【００５６】
フォーカス駆動機構部２６ｂは、撮影光学系のうちフォーカス動作に関与するフォーカス光学系を駆動するための駆動源（アクチュエータ）やその駆動力を伝達する駆動機構等を含む駆動ユニットである。なお、上記フォーカス駆動部２４ｂ及びフォーカス駆動機構部２６ｂによってフォーカス駆動手段が構成されている。
【００５７】
絞り駆動部２４ｃは、撮影光学系を透過する光束の光量を調整するための絞り機構を駆動する駆動源（アクチュエータ）やその駆動力を伝達する駆動機構等を含む駆動ユニットである。
【００５８】
なお、カメラボディ１０，レンズ鏡筒２０は、上述した構成部以外にもその他の各種構成ユニット等を有して構成されているものであるが、それらの各種構成ユニット等は、本発明に直接関連しない構成であるので、従来の一般的なカメラと同様の構成を具備するものとして、その詳細説明及び図示を省略している。
【００５９】
例えば、撮影光学系の光路を開閉し、撮影動作の際に撮影光学系を透過する光束の光量を調整するためのシャッター機構については図示及び説明を省略しているが、本実施形態のカメラ１においても、従来のカメラと同様の通常のシャッター機構を有している。このシャッター機構は、カメラボディ１０側に配設するフォーカルプレーンシャッターでもよいし、レンズ鏡筒２０側に配設するレンズシャッターでもよい。シャッター機構がカメラボディ１０側に配設されている場合には、シャッター機構は主にボディー側の制御部によって制御される。また、シャッター機構がレンズ鏡筒２０側に配設されている場合には、シャッター機構は主にボディー側の制御部の制御下においてレンズ制御部２１を介して制御される。
【００６０】
このように構成された本実施形態のカメラ１を用いて撮影を行なう際の作用を以下に説明する。
【００６１】
図２は、本実施形態のカメラにおけるカメラ制御の処理シーケンスを示すフローチャートである。図３Ａ，図３Ｂは、図２の処理シーケンスのうちのサブルーチン（ステップＳ１１７の処理）を示すフローチャートである。
【００６２】
まず、本実施形態のカメラ１が電源オン状態とされて動作可能な起動状態にあるものとする。この状態にあるとき、ステップＳ１０１において、信号処理制御部１１は、現在設定されている動作モードが撮影モードにあるか否かの確認を行なう。ここで、撮影モードに設定されていることが確認された場合には、次のステップＳ１０２の処理に進む。また、撮影モード以外に設定されていることが確認された場合には、ステップＳ１５１の処理に進む。
【００６３】
ステップＳ１０２において、信号処理制御部１１は、撮像素子１３及びレンズ２６等からなる撮像部と表示部１８等を制御して画像データの取得処理及びライブビュー画像表示処理を実行する。その後、ステップＳ１１１の処理に進む。
【００６４】
続いて、ステップＳ１１１において、信号処理制御部１１は、ボディ側通信部１２を制御してレンズ側通信部２２を介してレンズ鏡筒２０のレンズ制御部２１との間でレンズ通信処理を行なう。このレンズ通信処理において、カメラボディ１０に装着されているレンズ鏡筒２０の種類等のレンズ情報の取得等が行われる。
【００６５】
なお、上記レンズ通信処理においては、カメラボディ１０にレンズ鏡筒２０が装着されているか否かの確認や、レンズ交換操作が行なわれたか否か等の確認も合わせて行なう。ここで、例えばボディ側通信部１２とレンズ側通信部２２との通信が確立できない場合には、カメラボディ１０にレンズ鏡筒２０が装着されていないものと判断し、その場合には、信号処理制御部１１は、表示制御部１１ｄを介して表示部１８を制御して、その旨の警告表示等を表示する制御を行ない、これにより使用者（ユーザー）にレンズ鏡筒２０の装着を促す。そして、レンズ装着の確認を待って、レンズ通信処理を実行する。また、レンズ通信処理が行われることによって、現在、カメラボディ１０側の信号処理制御部１１が保持しているレンズ鏡筒２０に関するレンズ情報と、レンズ通信処理の結果、現在カメラボディ１０に装着されているレンズ鏡筒２０側から取得したレンズ情報とが一致しない場合には、レンズ交換操作が行なわれたものと判断し、その場合には、信号処理制御部１１は、新たに取得したレンズ情報を一時記録部１６等に一時記録する等の処理を行なう。その後、ステップＳ１１６の処理に進む。
【００６６】
ステップＳ１１６において、信号処理制御部１１は、通信部１２，２２を介してレンズ制御部２１との通信を行なって、第１回動検出部２７ａ，第２回動検出部２７ｂからの信号を監視して、上記フォーカスリング２３ａ（第１操作リング），上記ズームリング２３ｂ（第２操作リング）が操作されたか否かの確認を行なう。ここで、上記両リング２３ａ，２３ｂの少なくとも一方の操作が確認された場合には、次のステップＳ１１７の処理に進む。また、上記両リング２３ａ，２３ｂのいずれの操作も確認されない場合には、ステップＳ１１８の処理に進む。
【００６７】
次のステップＳ１１７において、信号処理制御部１１は、リング操作検出処理のサブルーチン（図３Ｂの処理シーケンス）を実行する。その後、ステップＳ１１８の処理に進む。なお、上記ステップＳ１１７の処理の詳細は、図３Ａ，図３Ｂを用いて後述する。
【００６８】
次に、ステップＳ１１８において、信号処理制御部１１は、現在設定されている撮影処理に関する動作モードが静止画撮影モードに設定されているか否かの確認を行なう。ここで、静止画撮影モードに設定されていることが確認された場合には、次のステップＳ１１９の処理に進む。また、静止画撮影モード以外の動作モードが設定されている場合には、ステップＳ１２１の処理に進む。
【００６９】
ステップＳ１１９において、信号処理制御部１１は、所定の静止画撮影処理を実行する。この静止画撮影処理のシーケンスは、従来一般のカメラで行われる処理と同様である。したがって、その詳細説明は省略する。
【００７０】
上述のステップＳ１１８の処理にて、静止画撮影モード以外の動作モード設定が確認されて、ステップＳ１２１の処理に進むと、このステップＳ１２１において、信号処理制御部１１は、現在設定されている撮影処理に関する動作モードが動画撮影モードに設定されているか否かの確認を行なう。ここで、動画撮影モードに設定されていることが確認された場合には、次のステップＳ１２２の処理に進む。また、動画撮影モード以外の動作モード、即ち静止画撮影モードが設定されている場合には、上述のステップＳ１０１の処理に戻る。
【００７１】
ステップＳ１２２において、信号処理制御部１１は、所定の動画撮影処理のシーケンスを開始する。この動画撮影処理のシーケンスも、従来一般のカメラで行われる処理と同様である。したがって、その詳細説明は省略する。
【００７２】
なお、上述のステップＳ１２２の動画撮影処理が開始されると、次のステップＳ１２３において、信号処理制御部１１は、操作部１５からの指示信号を監視し、その処理の間中、常に動画撮影処理の終了指示信号の確認を続ける。ここで、動画撮影処理の終了を指示する指示信号が確認された場合には、ステップＳ１２４の処理に進む。また、動画撮影処理終了指示信号が確認されない場合には、上述のステップＳ１０２の処理に戻り、以降の処理を繰り返す。
【００７３】
そして、ステップＳ１２４において、信号処理制御部１１は、動画撮影処理の終了処理を実行した後、記録部１４を制御して取得済みの画像データを記録する処理を実行する。その後、ステップＳ１０１の処理に戻る。
【００７４】
一方、上述のステップＳ１０１の処理にて、カメラ１に設定されている動作モードが撮影モード以外であることが確認されて、ステップＳ１５１の処理に進むと、このステップＳ１５１において、信号処理制御部１１は、現在設定されている動作モードが再生モードであるか否かの確認を行なう。ここで、再生モードに設定されていることが確認された場合には、所定の再生処理シーケンスへ移行するものとし、ステップＳ１５２の処理に進む。
【００７５】
ステップＳ１５２において、信号処理制御部１１は、記録部１４を制御して記録媒体に記録済みの画像データのサムネイル画像データを読み出して、所定の信号処理を施した後、表示制御部１１ｄを介して表示部１８を制御してファイル一覧表示処理を実行する。なお、このファイル一覧表示処理に代えて、次のような表示処理を実行するようにしてもよい。即ち、カメラ１が再生モードにあることが確認されると、信号処理制御部１１は記録部１４を制御して記録媒体に記録済みの画像データのうち最新画像データを読み出して、所定の信号処理を施した後、表示制御部１１ｄを介して表示部１８を制御して最新画像の再生処理を実行するようにしてもよい。その後、ステップＳ１５３の処理に進む。
【００７６】
続いて、ステップＳ１５３において、信号処理制御部１１は、操作部１５若しくはタッチパネル１８ｂからの指示信号を監視して、ファイル選択指示信号が発生したか否かの確認を行なう。ここで、ファイル選択指示信号は、表示中のファイル一覧のうちのいずれかを選択する旨の指示信号である。なお、最新画像表示の場合には、表示中の画像データの一つ前の画像データ若しくは記録済み画像データ中の最も古い画像データのいずれかを選択指示する指示信号となる。このステップＳ１５３の処理にて、信号処理制御部１１がファイル選択指示信号の発生を確認した場合には、次のステップＳ１５４の処理に進む。また、ファイル選択指示信号が確認されない場合には、ステップＳ１５６の処理に進む。
【００７７】
次に、ステップＳ１５４において、信号処理制御部１１は、記録部１４を制御して記録媒体に記録済みの画像データのうち上述のステップＳ１５３の処理にて選択された画像データを読み出して、所定の信号処理を施した後、表示制御部１１ｄを介して表示部１８を制御して選択画像の再生処理を実行する。その後、ステップＳ１５５の処理に進む。
【００７８】
ステップＳ１５５において、信号処理制御部１１は、操作部１５若しくはタッチパネル１８ｂからの指示信号を監視して、選択画像の表示を終了させる旨の指示信号が発生したか否かの確認を行なう。このステップＳ１５５において、選択画像表示終了指示信号が確認されない場合には、上述のステップＳ１５４の処理に戻る。即ち、同じ選択画像の表示処理を続行し続ける。また、選択画像表示終了指示信号が確認された場合には、ステップＳ１５２の処理に戻り、以降の処理を繰り返す。
【００７９】
一方、上述のステップＳ１５３の処理にて、ファイル選択指示信号が確認されずにステップＳ１５６の処理に進むと、このステップＳ１５６において、信号処理制御部１１は、操作部１５若しくはタッチパネル１８ｂからの指示信号を監視して、再生モードの終了指示信号が発生したか否かの確認を行なう。ここで、再生モード終了指示信号は、例えばモード切換操作若しくは電源オフ操作等である。このステップＳ１５６において、再生モード終了指示信号が確認されない場合には、上述のステップＳ１５２の処理に戻り、以降の処理を繰り返す。また、再生モード終了指示信号が確認された場合には、ステップＳ１０１の処理に戻り、以降の処理を繰り返す。なお、再生モード終了指示信号の発生トリガーとして、電源オフ操作が行なわれた場合には、全ての動作を終了するものとして、本カメラ制御処理シーケンスを終了する。この処理シーケンスについては、図２においては図面の煩雑化を避けるために図示を省略している。
【００８０】
他方、上述のステップＳ１５１の処理にて再生モード以外に設定されていることが確認された場合には、他の動作モードへの移行処理シーケンスを実行する。ここで、他の動作モードとしては、例えば画像通信モード等があるが、これらの他の動作モードについては、本発明に直接関係しないので、その詳細説明は省略し、再生モード以外に設定されている場合の処理シーケンスとしては、便宜的に上述のステップＳ１０１の処理に戻るようにしている。
【００８１】
本実施形態のカメラ１における上述のような一連の再生処理シーケンスは、従来一般的な形態のカメラと同様である。
【００８２】
なお、本実施形態のカメラ１の信号処理制御部１１は、常に操作部１５若しくはタッチパネル１８ｂ等からの指示信号を監視している。そして、上記処理シーケンス中のいずれの時点においても、操作部１５若しくはタッチパネル１８ｂ等からの指示信号が確認された場合には、確認した指示信号に対応する処理を割り込ませるように構成している。したがって、カメラ１の動作状況に関らず、所定の割り込み信号（例えば電源オフ信号，リセット信号，動作切換信号等）が確認された場合には、実行中の処理を中断させ、若しくは実行中の処理の終了を待って、割り込み指示に応じた処理（例えば電源オフ処理，リセット処理，動作切換処理等）を実行する。
【００８３】
次に、本実施形態のカメラにおけるリング操作検出処理のサブルーチン（図２のステップＳ１１７の処理）の詳細を、図３Ａ，図３Ｂを用いて以下に説明する。
【００８４】
上述したように、上述の図２のステップＳ１１６の処理にて、上記二つの操作リング２３ａ，２３ｂのいずれかが操作されて、ステップＳ１１７の処理、即ち図３Ａ，図３Ｂの処理シーケンスに移行する。
【００８５】
まず、図３ＡのステップＳ１３０において、信号処理制御部１１は、上述のステップＳ１１６の処理による検出結果について、上記二つの操作リング２３ａ，２３ｂが同時に回動操作されたものであるか否かの確認を行なう。ここで、上記二つの操作リング２３ａ，２３ｂが同時回動操作されたものであることが確認された場合には、信号処理制御部１１は、各操作リング２３ａ，２３ｂへの回動操作に対応する制御を禁止した上で、次のステップＳ１６１の処理に進む。
【００８６】
ここで、上記二つの操作リング２３ａ，２３ｂの同時回動操作が検出されると、各操作リングの回動操作に対応する制御を禁止しているのは、次のような理由による。即ち、二つの操作リング２３ａ，２３ｂの同時回動操作が検出された場合、その操作が意図したものであるか、誤操作によるものであるかの判断がつかない。そのために、その同時回動操作が誤操作によるものであったとしても、現在設定されているフォーカス設定やズーム設定が意図せずにズレてしまうことを防止するために、この処理ステップの段階では、同時回動操作に対応する制御を禁止している。
【００８７】
こうしてステップＳ１６１の処理に進むと、このステップＳ１６１において、信号処理制御部１１は、ズーム制御が減速モードに設定されているか否かの確認を行う。ここで、ズーム制御の減速モードとは、次のような制御をいう。
【００８８】
ズーム制御は、例えばズームリング２３ｂの回動操作による所定のズーム開始指示信号が生じると、これを受けて信号処理制御部１１，レンズ制御部２１はズーム駆動部２４ａを制御してズーム駆動機構部２６ａを駆動することにより行なわれる。
【００８９】
この場合において、通常のズーム制御では、ズーム駆動機構部２６ａに含まれるズーム駆動用の駆動源（アクチュエータ）は一定速度で駆動される。ここで、例えばズームリング２３ｂが回動操作されることによってズーム光学系がワイド（Ｗｉｄｅ）側からテレ（Ｔｅｌｅ）側へと移動するときの焦点距離の変位量と時間との関係は、図４に示すように比例関係となっているものとする。つまり、ズームリング２３ｂの回転量に応じて、一定のズーム駆動量が確保される。また、このときのズーム速度と時間との関係は、図６に示すように、ズーミングの開始時点から所定時間で一定速度に達した後は、ズームリング２３ｂの回転量や回転速度に関わらず一定速度でズーム駆動がなされる。このような通常ズーム制御では、所望の構図を得るためのズーム設定の微調整を行うことは難しい。
【００９０】
そこで、本実施形態においては、通常のズーム制御とは異なるズーム制御モード、即ち通常時よりもズーム速度を加減し得るズーム制御モード（例えば仮に減速モードという）を別に設け、所定の操作、即ち二つの操作リング２３ａ，２３ｂの同時回動操作を行ったときにズーム制御モードの切り換えを行い得るように構成している。つまり、本実施形態のカメラ１においては、二つの操作リング２３ａ，２３ｂの同時回動操作を、ズーム制御を切り換える切換操作としている。そして、ズーム制御が減速モードに切り換わると、それ以降は、フォーカスリング２３ａは本来のフォーカシングとは異なる機能を実現する操作部材として機能するように制御される。
【００９１】
こうして、ズーム制御が減速モードに切り換わると、図５に示すような制御がなされる。なお、図５において点線で示す傾きは、図４の通常ズーム制御のグラフに相当している。例えば、図５に示すように、時間軸Ａで示す時点からズーム操作を開始するものとする。このときのズーム位置をワイド端位置とする。この状態において、ズームリング２３ｂをテレ方向へと回動操作する。この操作に加えてフォーカスリング２３ａを、例えばズームリング２３ｂのテレ（Ｔｅｌｅ）方向と同方向へと回動させるとズーム変位が加速される制御がなされる（図５の符号Ａ〜符号Ｂで示す領域参照）。一方、時間軸Ｂで示す時点において、ズームリング２３ｂのテレ方向への回動操作を行いながらフォーカスリング２３ａを、例えばズームリング２３ｂのワイド（Ｗｉｄｅ）方向と同方向へと回動させるとズーム変位が減速される制御がなされる（図５の符号Ｂ〜符号Ｃで示す領域参照）。
【００９２】
このようなズーム制御がなされる場合のズーム速度と時間との関係は、図７に示すようになる。図７において符号Ａ〜符号Ｂで示す領域は、ズームリング２３ｂをテレ側へと回動しつつフォーカスリング２３ａを同方向（テレ方向と同方向）へ回動させたときのようす（ズーム速度が加速されるようす）が示される。また、同図７において符号Ｂ〜符号Ｃで示す領域は、ズームリング２３ｂを同様にテレ側へと回動しつつフォーカスリング２３ａは逆方向（ワイド方向と同方向）へ回動させたときのようす（ズーム速度が減速されるようす）が示される。
【００９３】
図３Ａの説明に戻る。上記ステップＳ１６１において、現在設定されているズーム制御モードが既に減速モードに設定されている場合には、ステップＳ１６２の処理に進む。また、ズーム制御モードが減速モードに設定されていない場合には、ステップＳ１６３の処理に進む。
【００９４】
ステップＳ１６２において、信号処理制御部１１は、ズーム制御の減速モード設定を解除する処理を行う。その後、図２の元の処理に戻る（リターン）。
【００９５】
また、ステップＳ１６３において、信号処理制御部１１は、ズーム制御の設定を減速モード設定に切り換えた後、第１回動検出部２７ａによって検出されたフォーカスリング２３ａの回転量情報に基づいて対応するズーム制御を行う。その後、図２の元の処理に戻る（リターン）。
【００９６】
一方、上記ステップＳ１３０の処理にて操作リングの同時回動操作ではないことが確認された場合、例えば上記二つの操作リング２３ａ，２３ｂの一方のみの操作が確認された場合等には、ステップＳ１３１の処理に進む。
【００９７】
ステップＳ１３１において、信号処理制御部１１は、第２回動検出部２７ｂの出力信号を監視してズームリング２３ｂの操作状態を確認する。ここで、ズームリング２３ｂのワイド（Ｗｉｄｅ）方向への操作が確認された場合には、ステップＳ１３２の処理に進む。また、ズームリング２３ｂのテレ（Ｔｅｌｅ）方向への操作が確認された場合には、ステップＳ１３３の処理に進む。なお、ズームリング２３ｂの操作が確認されない場合には、ステップＳ１４９の処理に進む。
【００９８】
上記ステップＳ１３１の処理にてズームリング２３ｂの操作が確認されずに、ステップＳ１４９の処理に進むと、このステップＳ１４９において、信号処理制御部１１は、第１回動検出部２７ａの出力信号を監視してフォーカスリング２３ａの回動操作がなされたか否かの確認を行う。ここで、フォーカスリング２３ａの回動操作が確認された場合には、ステップＳ１５０の処理に進む。
【００９９】
そして、ステップＳ１５０において、信号処理制御部１１は、上記ステップＳ１４９の処理にて検出されたフォーカスリング２３ａの操作回転量に応じて通常のマニュアルフォーカス（ＭＦ）駆動処理を実行する。その後、図２の元の処理に戻る（リターン）。
【０１００】
また、上記ステップＳ１４９の処理にてフォーカスリング２３ａの回動操作が確認されない場合には、図２の元の処理に戻る（リターン）。
【０１０１】
一方、上記ステップＳ１３１の処理にてズームリング２３ｂのワイド（Ｗｉｄｅ）方向への操作が確認されて、ステップＳ１３２の処理に進むと、このステップＳ１３２において、信号処理制御部１１は、通信部１２，２２を介してレンズ制御部２１を制御し、このレンズ制御部２１の制御下でズーム駆動部２４ａを介してズーム駆動機構部２６ａを駆動制御して、ワイド（Ｗｉｄｅ）方向への駆動を開始させる。その後、ステップＳ１３４の処理に進む。
【０１０２】
他方、上記ステップＳ１３１の処理にてズームリング２３ｂのテレ（Ｔｅｌｅ）方向への操作が確認されて、ステップＳ１３３の処理に進むと、このステップＳ１３３において、信号処理制御部１１は、通信部１２，２２を介してレンズ制御部２１を制御し、このレンズ制御部２１の制御下でズーム駆動部２４ａを介してズーム駆動機構部２６ａを駆動制御して、テレ（Ｔｅｌｅ）方向への駆動を開始させる。その後、ステップＳ１３４の処理に進む。
【０１０３】
ここで、使用者（ユーザー）は、上述のステップＳ１３１の処理にて確認されたズームリング２３ｂのワイド若しくはテレ方向の所定の回転量による回転操作を継続実行しており、これと同時に、フォーカスリング２３ａの回転操作を行う。
【０１０４】
そこで、ステップＳ１３４において、信号処理制御部１１は、フォーカスリング２３ａの回転量に関するデータをクリアする。
【０１０５】
続いて、ステップＳ１３５において、信号処理制御部１１は、フォーカスリング２３ａの回転量及び回転方向に関する情報の取得を開始する。その後、図３ＢのステップＳ１３６の処理に進む（図３Ａ，図３Ｂの符号Ａ参照）。
【０１０６】
次いで、図３ＢのステップＳ１３６において、信号処理制御部１１は、第２回動検出部２７ｂの出力信号を監視してズームリング２３ｂの操作状態を確認する。ここで、ズームリング２３ｂのテレ（Ｔｅｌｅ）方向への操作が確認された場合には、ステップＳ１３７の処理に進む。また、ズームリング２３ｂのワイド（Ｗｉｄｅ）方向への操作が確認された場合には、ステップＳ１３８の処理に進む。
【０１０７】
次に、ステップＳ１３７において、信号処理制御部１１は、上記ステップＳ１３５の処理にて検出されたフォーカスリング２３ａの回転方向の確認を行う。ここで、フォーカスリング２３ａの回転方向は、ズームリング２３ｂのテレ（Ｔｅｌｅ）方向と同じ方向であることが確認された場合には、ステップＳ１３９の処理に進む。
【０１０８】
図３Ｂの説明に戻る。続いてステップＳ１３９において、信号処理制御部１１は、フォーカスリング２３ａの回転量からズーム速度の変化量を算出する処理を実行する。その後、ステップＳ１４３の処理に進む。
【０１０９】
そして、ステップＳ１４３において、信号処理制御部１１は、ズーム駆動制御として、通常のズーム駆動よりもズーム速度を早めるズーム加速駆動処理を実行する。その後、ステップＳ１４７の処理に進む。
【０１１０】
ここでステップＳ１４３の処理に進むのは、上記ステップＳ１３６の処理にてズームリング２３ｂがテレ方向であるとされ、上記ステップＳ１３７の処理にてフォーカスリング２３ａがテレ方向と同方向であるとされた場合である。この場合には、上記ステップＳ１４３の処理にて、ズーム制御をズーム加速処理に設定し実行する。
【０１１１】
また、上記ステップＳ１３７の処理にて、ズームリング２３ｂのワイド（Ｗｉｄｅ）方向と同じ方向であることが確認された場合には、ステップＳ１４０の処理に進む。
【０１１２】
続いてステップＳ１４０において、信号処理制御部１１は、フォーカスリング２３ａの回転量からズーム速度の変化量を算出する処理を実行する。その後、ステップＳ１４４の処理に進む。
【０１１３】
そして、ステップＳ１４４において、信号処理制御部１１は、ズーム駆動制御として、通常のズーム駆動よりもズーム速度を減じるズーム減速駆動処理を実行する。その後、ステップＳ１４７の処理に進む。
【０１１４】
一方、上記ステップＳ１３６の処理にて、ズームリング２３ｂのワイド（Ｗｉｄｅ）方向への操作が確認されて、ステップＳ１３８の処理に進むと、このステップＳ１３８において、信号処理制御部１１は、上記ステップＳ１３５の処理にて検出されたフォーカスリング２３ａの回転方向の確認を行う。ここで、フォーカスリング２３ａの回転方向は、ズームリング２３ｂのテレ（Ｔｅｌｅ）方向と同じ方向であることが確認された場合には、ステップＳ１４１の処理に進む。
【０１１５】
続いてステップＳ１４１において、信号処理制御部１１は、フォーカスリング２３ａの回転量からズーム速度の変化量を算出する処理を実行する。その後、ステップＳ１４５の処理に進む。
【０１１６】
そして、ステップＳ１４５において、信号処理制御部１１は、ズーム駆動制御として、通常のズーム駆動よりもズーム速度を減じるズーム減速駆動処理を実行する。その後、ステップＳ１４７の処理に進む。
【０１１７】
また、上記ステップＳ１３８の処理にて、ズームリング２３ｂのワイド（Ｗｉｄｅ）方向と同じ方向であることが確認された場合には、ステップＳ１４２の処理に進む。
【０１１８】
続いてステップＳ１４２において、信号処理制御部１１は、フォーカスリング２３ａの回転量からズーム速度の変化量を算出する処理を実行する。その後、ステップＳ１４６の処理に進む。
【０１１９】
そして、ステップＳ１４６において、信号処理制御部１１は、ズーム駆動制御として、通常のズーム駆動よりもズーム速度を早めるズーム加速駆動処理を実行する。その後、ステップＳ１４７の処理に進む。
【０１２０】
ステップＳ１４７において、信号処理制御部１１は、第２回動検出部２７ｂの出力信号を監視してズームリング２３ｂの操作状態を確認する。ここで、ズームリング２３ｂの操作が確認された場合には、上述の図３ＡのステップＳ１３５の処理に戻る（図３Ａ，図３Ｂの符号Ｂ参照）。また、ズームリング２３ｂの操作が確認されない場合、つまりズームリング２３ｂによるズーム操作が行われていない状態になった場合には、ステップＳ１４８の処理に進む。
【０１２１】
ステップＳ１４８において、信号処理制御部１１は、ズーム駆動処理を停止して、図２の元の処理に戻る（リターン）。
【０１２２】
ここで、上述のステップＳ１３９，Ｓ１４０，Ｓ１４１，Ｓ１４２の処理、即ちフォーカスリング２３ａの回転量に基づいて制御すべきズーム速度の変化量を算出する処理の形態について、例を挙げて説明する。
【０１２３】
まず、図８に示す第１の算出処理形態としては、フォーカスリング回転量とズーム速度との関係を比例関係とする形態である。
【０１２４】
ズーム制御は、通常の場合、ズーム駆動指示を受けて開始される。この場合、まず、一定速度のズーム駆動制御がなされて、基本的なズーム速度（ベース速度；図８の符号Ｄ）の駆動が行われる。このときのズーム駆動のベース速度は、通常のズーム制御の場合の一定のズーム速度でもある。このベース速度によるズーム駆動中にフォーカスリング２３ａの回転操作がなされると、ズーム制御は通常ズーム制御の処理形態（モード）からズーム速度の切り換えが行なわれる。このズーム速度切り換え処理によって、駆動中のベース速度に対し加速若しくは減速が行なわれる。このときの加速若しくは減速は、同時に行われたフォーカスリング２３ａの回転量に基づいて算出される。
【０１２５】
第１の算出処理形態においては、フォーカスリング２３ａの時間あたりの回転量とズーム速度とを比例関係とする処理である。即ち、フォーカスリング２３ａの回転量が増加するほどズーム速度を加算する加速処理を行う（図８参照）。このときのズーム加速度は、フォーカスリング２３ａの時間当たりの回転量に対して変化しない等加速度で制御される（図９参照）。
【０１２６】
第２の算出処理形態として、図１０に示すように、フォーカスリング２３ａの時間あたりの回転量とズーム加速度との関係を比例関係とする形態である。この場合には、フォーカスリング２３ａの回転量の増加に応じてズーム加速度を増加させる加速処理を行う。
【０１２７】
さらに、図１１に示す第３の算出処理形態として、上記第１，第２の算出処理形態を合わせた形態とするものがある。この場合には、フォーカスリング２３ａの時間あたりの回転量が所定の回転量となるまでは、ズーム加速度を一定とし、上記所定の回転量を超えた時点からズーム加速度を増加させる加速処理を行う。
【０１２８】
これらの処理形態は、上記ステップＳ１３９，Ｓ１４２の処理（ズーム加速処理）にて適用される。これらに対し、上記ステップＳ１４０，Ｓ１４１の処理（ズーム減速処理）においては、上記第１〜第３の算出処理形態における加速処理に代えて減速処理とする制御を行う。
【０１２９】
本実施形態のカメラ１におけるズーム制御は、ズームリング２３ｂの回転方向とフォーカスリング２３ａの回転方向及び回転量に基づいてズーム速度を切り換えるようにしている。
【０１３０】
簡略に説明すると、
（１）ズームリング２３ｂがテレ方向へと回動操作され（ステップＳ１３６）、フォーカスリング２３ａがテレ方向と同方向に回動操作されると（ステップＳ１３７）、ステップＳ１３９の処理にてズーム速度の加速処理が行なわれる。
（２）ズームリング２３ｂがテレ方向へと回動操作され（ステップＳ１３６）、フォーカスリング２３ａがワイド方向と同方向に回動操作されると（ステップＳ１３７）、ステップＳ１４０の処理にてズーム速度の減速処理が行なわれる。
（３）ズームリング２３ｂがワイド方向へと回動操作され（ステップＳ１３６）、フォーカスリング２３ａがテレ方向と同方向に回動操作されると（ステップＳ１３８）、ステップＳ１４１の処理にてズーム速度の減速処理が行なわれる。
【０１３１】
ズームリング２３ｂがワイド方向へと回動操作され（ステップＳ１３６）、フォーカスリング２３ａがワイド方向と同方向に回動操作されると（ステップＳ１３８）、ステップＳ１４２の処理にてズーム速度の加速処理が行なわれる。
【０１３２】
以上説明したように上記一実施形態によれば、レンズ鏡筒２０上に隣接して配置される二つの操作リング２３ａ，２３ｂの操作を組み合わせることによって、ズーム制御時のズーム速度を切り換えてズーム操作を行い得るようにしたので、多様なズーム制御を容易な構成で実現することができる。また、複数部材の操作の組み合わせによって、ズーム速度を切り換える制御を行い得るようにしたので、使用者は、ズーム設定を行う際に必要に応じたズーム駆動を行わしめることができる。したがって、例えばズーム設定の微調整を容易に行うことができるようになる。ここでは、主に、ズーム操作の微調、粗調について説明したが、光学ズームのみならず電子ズームの制御に応用可能であることは言うまでもない。また、絞りやシャッタースピードやピント制御など、レンズのリング部に配置されるような撮影制御の粗調、微調にも適用可能であることは言うまでもない。
【０１３３】
また、本実施形態によれば、例えば多段階切り換えのズームスイッチ等の電気部品を設けることなく、ズーム駆動のオンオフ切り換えのみの単純なズームスイッチのみを適用した構成であっても、既存の複数の操作部材の組み合わせ操作を行うことでズーム速度の切り換え制御を実現したので、電気的な部材点数の削減、及び部材コスト，製造コストの削減に寄与することができる。
【０１３４】
なお、上記各実施形態においては、ズーム機能を実現する手段として、撮影光学系のズーム光学系を光軸方向に進退させることによって、当該撮影光学系により結像される被写体像の拡大若しくは縮小を行ういわゆる光学ズーム機能を備えた撮影機器（カメラ）の構成を例示しているが、本発明を適用し得る撮影機器は、この形態に限られることはない。例えば、撮像素子から出力される画像信号に対して所定の画像処理を施すことによって、被写体を含む画像の拡大若しくは縮小を行ういわゆるデジタルズーム機能を備えた撮影機器（カメラ）であってもよい。さらに、光学ズーム機能とデジタルズーム機能とを備え、両者をシームレスに利用し得るような構成の撮影機器（カメラ）においても、本発明は、容易に適用することができる。
【０１３５】
本発明は、上記各実施形態にそのまま限定されるものではなく、実施段階ではその要旨を逸脱しない範囲で構成要素を変形して具体化できる。また、上記各実施形態に開示されている複数の構成要素の適宜な組み合わせにより、種々の発明を形成できる。例えば、実施形態に示される全構成要素の幾つかの構成要素を削除してもよい。さらに、異なる実施形態にわたる構成要素を適宜組み合わせてもよい。
【０１３６】
上述の各実施形態で説明した各処理シーケンスは、その性質に反しない限り、手順の変更を許容し得る。したがって、上述の処理シーケンスに対して、例えば各処理ステップの実行順序を変更したり、複数の処理ステップを同時に実行させたり、一連の処理シーケンスを実行する毎に、各処理ステップの順序が異なるようにしてもよい。
【０１３７】
即ち、特許請求の範囲、明細書、および図面中の動作フローに関して、便宜上「まず」、「次に」等を用いて説明したとしても、この順で実施することが必須であることを意味するものではない。また、これらの動作フローを構成する各ステップは、発明の本質に影響しない部分については、適宜省略も可能であることは言うまでもない。
【０１３８】
また、ここで説明した技術のうち、主にフローチャートで説明した制御や機能は、多くがソフトウエアプログラムにより設定可能であり、そのプログラムをコンピュータが読み取り実行することで上述した制御や機能を実現することができる。そのプログラムは、コンピュータプログラム製品として、フレキシブルディスク，ＣＤ−ＲＯＭ等，不揮発性メモリ等の可搬媒体や、ハードディスク，揮発性メモリ等の記憶媒体に、その全体あるいは一部を記録又は記憶することができ、製品出荷時又は可搬媒体或いは通信回線を介して流通又は提供が可能である。使用者（ユーザー）は、通信ネットワークを介してそのプログラムをダウンロードしてコンピュータにインストールしたり、あるいは記録媒体からコンピュータにインストールすることで、容易に本実施の形態の撮影機器を実現することができる。
【産業上の利用可能性】
【０１３９】
本発明は、デジタルカメラ等の撮影機能に特化した電子機器である撮影機器に限られることはなく、撮影機能を備えた他の形態の電子機器、例えば携帯電話，スマートフォン，録音機器，電子手帳，パーソナルコンピュータ，タブレット端末機器，ゲーム機器，携帯テレビ，時計，ＧＰＳ（Global Positioning System）を利用したナビゲーション機器等、各種の撮影機能付き電子機器にも広く適用することができる。また、産業用機器、医療用機器においても、隣接された複数の操作部材を略同時に操作したり、それぞれ操作したりできる操作部材を有するものには利用可能であることは言うまでもない。
【０１４０】
さらに、撮像素子を用いて画像を取得し、その取得画像を表示装置に表示する機能を有する電子機器、例えば望遠鏡，双眼鏡，顕微鏡等の観察用機器に対しても同様に適用することができる。
【符号の説明】
【０１４１】
１……カメラ，
１０……カメラボディ，１１……信号処理制御部，１１ａ……フォーカス処理部，１１ｂ……画像処理部，１１ｃ……タッチ判定部，１１ｄ……表示制御部，１２……ボディ側通信部，１３……撮像素子，１４……記録部，１５……操作部，１６……一時記録部，１８……表示部，１８ｂ……タッチパネル，１９……時計部，
２０……レンズ鏡筒，２１……レンズ制御部，２２……レンズ側通信部，２３……レンズ側操作部，２３ａ……フォーカスリング，２３ｂ……ズームリング，２４ａ……ズーム駆動部，２４ｂ……フォーカス駆動部，２４ｃ……絞り駆動部，２５ａ……ズームレンズ位置検出部，２５ｂ……フォーカスレンズ位置検出部，２６……レンズ，２６ａ……ズーム駆動機構部，２６ｂ……フォーカス駆動機構部，２６ｃ……絞り駆動機構部，２７ａ……第１回動検出部，２７ｂ……第２回動検出部
【図１】
2015025897.tif 000003
【図２】
2015025897.tif 000004
【図３Ａ】
2015025897.tif 000005
【図３Ｂ】
2015025897.tif 000006
【図４】
2015025897.tif 000007
【図５】
2015025897.tif 000008
【図６】
2015025897.tif 000009
【図７】
2015025897.tif 000010
【図８】
2015025897.tif 000011
【図９】
2015025897.tif 000012
【図１０】
2015025897.tif 000013
【図１１】
2015025897.tif 000014